(57)【要約】      （修正有）【課題】浴槽に載置される風呂蓋の上面に傾斜を設け、風呂蓋の上面に洗い水が滞留し難くすることができる、座位面付き風呂蓋を提供する。【解決手段】上面が座位面であり、一方向を長手方向とし、短手方向の一端側から短手方向の他端に向け下方へ傾斜する傾斜面１２が形成され、傾斜面１２は短手方向から見て凹状となっている座位面付き風呂蓋１であり、風呂蓋は複数の風呂板２から成り、隣接する風呂板の側端縁同士を付き合わせた際にできる連結部は、傾斜面を短手方向から視た凹面の最下部を避けて設けられており、風呂蓋の上面部は、断熱材で形成されている。【選択図】図１
2013141577.tif 000002
【特許請求の範囲】
【請求項１】
上面が座位面であり、一方向を長手方向とし、短手方向の一端側から短手方向の他端に向け下方へ傾斜する傾斜面が形成されていることを特徴とする座位面付き風呂蓋。
【請求項２】
前記傾斜面は短手方向から視て凹状となることを特徴とする請求項１記載の座位面付き風呂蓋。
【請求項３】
複数枚の風呂板から成り、隣接する前記風呂板の側端縁部同士を突き合わせた際にできる連結部は、前記傾斜面を短手方向から視た凹面の最下部を避けて設けられることを特徴とする請求項１又は請求項２記載の座位面付き風呂蓋。
【請求項４】
上面部は断熱材で形成されることを特徴とする請求項１乃至請求項３のいずれか一項に記載の座位面付き風呂蓋。
【発明の詳細な説明】
【技術分野】
【０００１】
本発明は、浴槽に載置される風呂蓋を座椅子として使用する座位面付き風呂蓋に関する。
【背景技術】
【０００２】
従来から、シャワーなどを使用する際に腰掛けて使用することができる蓋部と、蓋部が無く浴槽が開口している開口部から、浴槽内へと流れ込む流水を防止する洗い水堤防板とを備える浴槽用蓋が知られている（例えば特許文献１参照）。
【先行技術文献】
【特許文献】
【０００３】
【特許文献１】特開２００４−４９４２３号公報
【発明の概要】
【発明が解決しようとする課題】
【０００４】
ところで、特許文献１に記載された浴槽用蓋は、浴槽用蓋の上面がフラットであるため、洗い水堤防板を備えていても、洗髪などをした洗い水が浴槽用蓋に滞留し易く、浴槽内に流れ込んでしまうことがあった。
【０００５】
本発明は上記従来の問題点に鑑みて発明したものであって、その目的とするところは、浴槽に載置される風呂蓋の上面に傾斜を設け、風呂蓋の上面に洗い水が滞留し難い、座位面付き風呂蓋を提供することを課題とするものである。
【課題を解決するための手段】
【０００６】
上記課題を解決するために、本発明は、以下のような構成とする。
【０００７】
上面が座位面であり、一方向を長手方向とし、短手方向の一端側から短手方向の他端に向け下方へ傾斜する傾斜面が形成されていることを特徴とする。
【０００８】
前記傾斜面は短手方向から視て凹状となることが好ましい。
【０００９】
複数枚の風呂板から成り、隣接する前記風呂板の端縁部同士を突き合わせた際にできる連結部は、前記傾斜面を短手方向から視た凹面の最下部を避けて設けられることが好ましい。
【００１０】
上面部は断熱材で形成されることが好ましい。
【発明の効果】
【００１１】
本発明の座位面付き風呂蓋は、浴槽に載置される風呂蓋の上面に傾斜を設け、風呂蓋の上面に洗い水が滞留し難くすることができる。
【図面の簡単な説明】
【００１２】
【図１】本発明の側面図である。
【図２】本発明を短手方向から視た正面図である。
【図３】本発明の一部を変えた要部拡大断面図である。
【発明を実施するための形態】
【００１３】
以下、本発明を添付図面に示す実施形態に基いて説明する。
【００１４】
本実施形態の座位面付き風呂蓋１は、一方風呂板２と他方風呂板３を備えている。なお、本実施形態では風呂蓋１は２枚で構成されているが、これに限定されず、１枚であっても、複数枚であってもよい。風呂蓋１の材質は、強化プラスチック、ポリプロピレン製やアクリル製などの、軽量であり、強耐性の優れた合成樹脂材によって形成されるのが好ましいが、これらに限定されない。また、風呂蓋１の厚み方向を上下方向とし、洗い場５側を前方Ｆ、浴槽４側を後方Ｂとする。
【００１５】
また座位面付き風呂蓋１は、図１に表れているように、後方Ｂから前方Ｆに向けて下方に傾斜しており、図２に表れているように、前方Ｆから後方Ｂへ視て上方に凹となる凹面１３が形成されている。
【００１６】
一方風呂板２は一方風呂板上面２１（座位面）、一方風呂板下面２２、一方風呂板当接側面２３、一方風呂板非当接側面２４、一方風呂板前面２５、一方風呂板後面２６、の６つの面で形成されている。他方風呂板３も同様に、他方風呂板上面３１（座位面）、他方風呂板下面３２、他方風呂板当接側面３３、他方風呂板非当接側面３４、他方風呂板前面３５、他方風呂板後面３６、の６つの面で形成されている。一方風呂板上面２１には、後方Ｂから前方Ｆに向けて下方へ傾斜する一方風呂板傾斜面２７を有しており、また一方風呂板傾斜面２７を前方Ｆから後方Ｂへ視て曲面をなしている一方風呂板曲面２８を有している。他方風呂板上面３１も同様に、後方Ｂから前方Ｆに向けて下方へ傾斜する他方風呂板傾斜面３７を有しており、また他方風呂板傾斜面３７を前方Ｆから後方Ｂへ視て曲面をなしている他方風呂板曲面３８を有している。
【００１７】
一方風呂板当接側面２３と他方風呂板当接側面３３とは、浴槽４に風呂蓋１を載置する際に、互いに当接し、この当接する部分を連結部１１とする。この時、一方風呂板傾斜面２７と他方風呂板傾斜面３７とが互いに当接し、一つの傾斜面１２を形成している。また一方風呂板曲面２８と他方風呂板曲面３８とが互いに当接し、一つの凹面１３を形成している。凹面１３を形成することにより、風呂蓋１に座位面ができ、臀部に沿う形状をなすので、長時間座っていても疲れ難くなる。
【００１８】
傾斜面１２を形成することにより、傾斜面１２に落ちてくる水が、前方Ｆへと流れ易くなり、水の排水性が高まり易くなる。また排水性が高まり易くなることにより、水の滞留を防ぎ易くなり、雑菌の繁殖や水垢の発生が生じ難くなる。
【００１９】
傾斜面１２のみの場合は水が前方Ｆへと流れるだけでなく、前方Ｆ以外に流れた水が風呂蓋１と浴槽４との隙間を通って浴槽４に流れ込み易かった。傾斜面１２と凹面１３を組み合わせた本実施形態では、一方風呂板非当接側面２４の上端部と一方風呂板後面２６の上端部と他方風呂板非当接側面３４の上端部と他方風呂板後面３６の上端部とが、凹面１３の最下点よりも高さが高いため、前方Ｆ以外に流れ出ようとする水を堰き止める壁となる。そのため、水が前方Ｆ以外に流れ、風呂蓋１と浴槽４との隙間を通って浴槽４に流れ込み難くなっている。
【００２０】
また傾斜面１２と凹面１３を組み合わせたことにより、凹面１３の中心に水が集まり易くなっているため、連結部１１が略中心にあると、連結部１１の隙間から水が浴槽４へと流れ込み易くなる。そこで、連結部１１は凹面１３の最下部を避けて設けられることが好ましい。また、さらに連結部１１の隙間に水を流れ込み難くするため、一方風呂板当接側面２３と他方風呂板当接側面３３とに図３に示すような、ヒレ片１４を備えるとよい。ヒレ片１４を備えることにより、隙間が生じ難くなり、連結部１１の隙間を通って浴槽４へと流れ込む水の量を減少させ易くなり、また浴槽４から熱気が逃げ難くなるため、浴槽４の保温効果が高まり易くなる。
【００２１】
風呂蓋１の上面部は傾斜面１２と凹面１３とが組み合わさることにより、座位面を形成している。風呂蓋１の上面部はポリスチレンフォームや硬質ウレタンフォームやフェノールフォームといった断熱材により形成され、人が風呂蓋１の上面部に座った際、冷たさを感じ難くしている。また風呂蓋１の上面部に断熱材を用いていることにより、断熱材の層が厚くなることから、さらなる保温効果を得られ易くなる。なお、風呂蓋１内部の材質と風呂蓋１上面部の材質は、同じでもよく、また異なる材質であってもよい。
【符号の説明】
【００２２】
１    風呂蓋
１１  連結部
１２  傾斜面
１３  凹面
１４  ヒレ片
２    一方風呂板
３    他方風呂板
４    浴槽
５    洗い場
【図１】
2013141577.tif 000003
【図２】
2013141577.tif 000004
【図３】
2013141577.tif 000005